(57)【要約】【課題】  皮膚を傷付けずに、皮膚表面の凹部分内に付着している汚れや化粧料等を能率良くしかもソフトに除去することが可能な洗顔用クロスを提供する。【解決手段】  極細繊維で作製したラフな糸から織成した生地材１表面に、極細糸３を起毛して起毛面部２を形成し、２本乃至４本の手指が挿入可能な指袋状に形成する。これの製造方法は、極細繊維でラフな糸を作製し、所定厚さの生地材１に織り、その生地材１の表面を複数の鋭利な金属針Ｓで引っ掻いて極細糸３を起毛し、所定長さの毛足となるようにカットして起毛面部２を形成する。生地材１を厚さ約２ｍｍ程度に織成し、生地材１全面に起毛した起毛面部２の毛足の長さを約３〜５ｍｍ程度にカットする。【選択図】      図１
2005103249.tif 000002
【特許請求の範囲】
【請求項１】
皮膚等の対象面に付着した汚れを除去する洗顔用クロスであって、極細繊維で作製したラフな糸から織成された生地材表面に、極細糸を起毛して成る起毛面部を有することを特徴とする洗顔用クロス。
【請求項２】
生地材は、起毛面部を表面全体に設けた２本乃至４本の手指が挿入可能な指袋状に形成して成る請求項１記載の洗顔用クロス。
【請求項３】
皮膚等の対象面に付着した汚れを除去する洗顔用クロスの製造方法であって、極細繊維でラフな糸を作製し、所定厚さの生地材に織り、その生地材表面を鋭利な金属針で引っ掻いて極細糸を起毛し、所定長さの毛足となるようにカットして生地材全面を形成することを特徴とした洗顔用クロスの製造方法。
【請求項４】
生地材は、厚さ約２ｍｍ程度に織成され、生地材全面に起毛された毛足の長さは約３〜５ｍｍ程度にカットされる請求項３記載の洗顔用クロスの製造方法。
【請求項５】
生地材は、２本乃至４本の手指が挿入可能な指袋状に形成される請求項３または４記載の洗顔用クロスの製造方法。
【発明の詳細な説明】
【技術分野】
【０００１】
本発明は、例えば皮膚面等の汗腺や毛穴等に付着した美容に害のある脂肪分、老廃物等の汚れを除去したり、化粧料等のメイク落しをしたりするための洗顔用クロスとその製造方法に関する。
【背景技術】
【０００２】
近年、皮膚等の対象面に付着した汚れや化粧料等は、主として物理的付着と化学的付着等の固着粒子によるものであり、この汚れを除去したり、メイク落しをしたりするには、水・洗剤・物理的作用による洗浄の三要素を組み合わせることで可能となっている。このとき使用される水は、この温度を上げることで洗浄力が変わることは経験的に知られており、また洗剤は、汚れの状態や種類等に対応させて色々な種類の中から選べるのであり、さらに物理的作用による洗浄としては、例えば水圧・超音波・ブラシ・繊維等のいずれかによって皮膚面の研磨や汚物の剥離等を行っている。このうち水圧・超音波・ブラシを利用する方法は機械的に動かす機構によるものが多く、一方、繊維を利用する方法は人手で行う所謂拭き掃除によるものである。
【０００３】
繊維は大きく分けて例えば綿・麻等の天然繊維と、例えばポリエステル・ナイロン・レーヨン等の化学繊維に分類される。天然繊維の特徴は、その構造から保水性・吸水性が優れ、繊維径は例えば綿繊維で１５〜３０μｍのようにやや太くて柔らかいものであり、汚れ除去という観点からこの天然繊維を観察すると、繊維径の大きさや柔らかさからして例えば皮膚面等の汗腺や毛穴等の内部の汚れの研磨や剥離には限界がある。一方、化学繊維は保水性・吸水性に難点があるものの、加工時において繊維径を例えば１〜１００μｍの範囲で自在に調整でき、しかも強さや堅さも調整が可能である。また強くて堅い繊維を細い糸に加工すれば、垢すりのように汚れの研磨や剥離性は大きく向上するが、一方で対象面に傷を付けてしまう虞れがある。
【０００４】
ところで、人体の皮膚表面は、下層の角質層と上層の皮脂膜とからなって柔らかく柔軟性があり、皮脂膜の表面には汗腺や毛穴等の微細な凹凸が多数あることが特徴である。このように皮膚表面が柔らかく柔軟性があるということは、これ自体が弾性体あるいは塑性体でない瞬間的な弾塑性体を示すもので、皮膚表面の汚れを除去するにはかなり難しくなるのである。また洗浄力が優れた洗剤で脂肪分や老廃物等による汚れ部分を皮膚から浮かすことができても、凹部分内の汚れを除去するのは、繊維による研磨・剥離であってさえも非常に困難なものである。
【０００５】
そこで従来においては、化学繊維による極細繊維生地材で汚れを除去する場合、極細繊維を集めて糸にしたものを平織・綾織・ループパイル織・ニット織等で生地材を作製し、それによって形成した洗顔用クロス製品で皮膚の汚れ除去を行なうようにしたものがある。このように天然繊維に比べて圧倒的に細く・強く・堅い化学繊維による極細繊維生地材で皮膚表面の汚れの除去を行うことの利点としては、第一に繊維が細いため皮膚との密着性が高いこと、第二に繊維素材が強くて堅いので研磨力が高いこと、第三に繊維径が細いため微細な汚れも除去対象になること、第四に糸から成り立つ生地材は、皮膚との接触面が点接触となり、生地材にかかる力が皮膚に伝わりやすいこと等がある。
【特許文献１】特になし
【発明の開示】
【発明が解決しようとする課題】
【０００６】
しかしながら従来においては、化学繊維による極細繊維生地材で皮膚表面の汚れを除去することの欠点として、第一に繊維と皮膚とが点接触になっていると、汚れの研磨力は強くなるが、その反面、生地材に加える力加減で過剰になりやすく皮膚の研磨が起こり、炎症等の原因になりやすいことである。第二に糸をベースにする生地材は、皮膚と繊維とは並行性が高く、皮膚凹凸の凸部分に対する汚れの除去効果は優れているが、凹部分は汚れの除去効果が小さくなり、凹部分に合わせて繊維に圧力を加え過ぎると、凸部分の研磨が発生すること等が考えられる。例えば皮膚表面の皮膚膜にある凹部分内の脂肪分や老廃物等を除去するときに、凸部分が阻止されるため繊維を皮膚表面の凸部分に強く押しあてて凹部分内の汚れをも除去しようとすると凸部分が潰れて皮膚全面に損傷が広がってしまう虞れがある。このように極細繊維の糸ベース生地材は、洗浄効果すなわち汚れ除去が抜群であるが、その特性から皮膚を傷付けやすく、皮膚表面の凹部分の洗浄効果は期待できないものとなる。すなわち極細繊維それ自体は細くて弱いが、これらを集めて糸にするとそれなりの利点や欠点が出てくるのである。
【０００７】
そこで本発明は叙上のような従来存した諸事情に鑑み創出されたもので、皮膚を傷付けずに、皮膚表面の凹部分内に付着している汚れや化粧料等を能率良く除去することが可能な洗顔用クロスを提供することを目的とする。
【課題を解決するための手段】
【０００８】
上述した課題を解決するため、本発明にあっては、皮膚Ｐ等の対象面に付着した汚れを除去する洗顔用クロスであって、極細繊維で作製したラフな糸から織成された生地材１表面に、極細糸３を起毛して成る起毛面部２を有するものである。
生地材１は、起毛面部２を表面全体に設けた２本乃至４本の手指が挿入可能な指袋状に形成して成るものとできる。
皮膚Ｐ等の対象面に付着した汚れを除去する洗顔用クロスの製造方法であって、極細繊維でラフな糸を作製し、所定厚さの生地材１に織り、その生地材１表面を鋭利な金属針Ｓで引っ掻いて極細糸３を起毛し、所定長さの毛足となるようにカットして生地材１全面を形成するものとできる。
生地材１は、厚さ約２ｍｍ程度に織成され、生地材１全面に起毛された毛足の長さは約３〜５ｍｍ程度にカットされ、また生地材１は、２本乃至４本の手指が挿入可能な指袋状に形成されるものとできる。
【０００９】
以上のように構成された本発明に係る洗顔用クロスにあって、生地材１表面における極細糸３を起毛して成る毛足の長さ約３〜５ｍｍ程度の起毛面部２は、極細繊維の起毛の一本一本が自在な方向から繊維毎に皮膚Ｐの表面に線接触させる。このとき厚さ約２ｍｍ程度の生地材１自体の厚さによって外からの力が拡散され、起毛糸に加わる力を低減させる。
手指が挿入可能な指袋状に形成して成る生地材１は、複数本の手指、例えば人差し指、中指、薬指の３本の手指を挿入させて表面の起毛面部２を顔等の皮膚Ｐ表面に当てて自在方向に擦ることで、皮膚Ｐ面の汗腺や毛穴等の凹部分Ｒ１内に付着している脂肪分、老廃物等の汚れを確実に除去させる。
【発明の効果】
【００１０】
以上のように構成された本発明によれば、皮膚Ｐを傷付けずに、皮膚Ｐ表面の凹部分Ｒ１内に付着している汚れや化粧料等を能率良く、しかもソフトに無理なく除去することができる。
【００１１】
すなわちこれは本発明が、極細繊維で作製したラフな糸から織成された生地材１表面に、極細糸３を起毛して成る起毛面部２を有するからであり、これにより、極細繊維の起毛の一本一本が自在な方向から繊維毎に皮膚Ｐの表面に線接触させるこができ、このように皮膚Ｐ表面の汚れに対し自在方向から弱い力で線接触しても、皮膚Ｐ表面の凹部分Ｒ１、凸部分Ｒ２それぞれに関係なく繊維が汚れに接触して研磨や剥離を確実に行うことができる。
【００１２】
生地材１は、起毛面部２を表面全体に設けた２本乃至４本の手指が挿入可能な指袋状に形成して成るので、複数本の手指、例えば人差し指、中指、薬指の３本の手指を挿入させて表面の起毛面部２を顔等の皮膚Ｐ表面に当てて自在方向に擦ることができる。
【００１３】
皮膚Ｐ等の対象面に付着した汚れを除去する洗顔用クロスの製造方法であって、極細繊維でラフな糸を作製し、所定厚さの生地材１に織り、その生地材１を鋭利な金属針Ｓで引っ掻いて極細糸３を起毛し、所定長さの毛足となるようにカットして生地材１全面を形成するので、汚れを能率良くしかもソフトに除去することができる洗顔用クロスを容易にしかも低コストで製造することができる。
【００１４】
生地材１は、厚さ約２ｍｍ程度に織成され、生地材１全面に起毛された毛足の長さは約３〜５ｍｍ程度にカットされるので、この均一な長さの起毛面部２によって皮膚Ｐ表面の凹部分Ｒ１内に付着している汚れを能率良く除去し、またメイク落しができる洗顔用クロスを容易に提供することができる。
【００１５】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１６】
以下図面を参照して本発明を実施するための最良の一形態を説明すると、図において示される符号１は、対象面の汚れである例えば皮膚Ｐ面の汗腺や毛穴等、その他皮膚Ｐ面に形成された凹部分Ｒ１と凸部分Ｒ２とに付着した脂肪分、老廃物等を除去するための洗顔用クロスを構成する生地材である。
【００１７】
生地材１は、例えばナイロンとポリエステルとの約１〜３μｍ程度の径の小さい極細繊維で、例えば毛糸等のようなラフな糸を作製しておき、これを厚さ約２ｍｍ程度に織成して成る。そして、この生地材１を、２本乃至４本の手指、好ましくは人差し指、中指、薬指の３本の手指が挿入可能となるような例えば深さ約１１ｃｍ程度、偏平状態にある開口部の長手方向の幅員が約８．５ｃｍ程度の略指袋状に形成してある。
【００１８】
また図４に示すように、上記した生地材１の加工工程において、生地材１の表面全体を例えば複数の鋭利な金属針Ｓで引っ掻いて極細糸３を起毛させることで、生地材１表面の全体に略微細立毛状となる起毛面部２が形成されるものとしてある。また、起毛面部２の起毛糸の長いものはカットして約３〜５ｍｍ程度の均一な長さの毛足を生地材１全面に形成したものとしてある。
【００１９】
ところで、皮膚Ｐ表面は、下層の角質層Ｑと上層の皮脂膜Ｒとからなって柔らかく柔軟性があり、皮脂膜Ｒの表面には汗腺や毛穴等の微細な凹部分Ｒ１が多数あることが特徴である。このような皮膚Ｐ表面を極細繊維の生地材１による起毛面部２を表面に備えた洗顔用クロスでもって汚れ除去を行うに際し、約１〜３μｍもの細い極細繊維から成る立毛の一本一本が自在な方向から繊維毎に皮膚Ｐの表面に線接触し、生地材１の厚さに対し外からの力が拡散されることで、起毛糸に加わる力は非常に小さくなるものとしてある。
【００２０】
そして皮膚Ｐ表面の汚れに自在方向から弱い力で線接触すると、皮膚Ｐ表面の凹部分Ｒ１、凸部分Ｒ２それぞれに関係なく繊維が汚れに接触して研磨や剥離を行うものとしてある。このとき汚れに対する起毛の接触力が小さな欠点は、起毛面部２を形成している圧倒的な数の繊維糸の密度でカバーできるようにしてある。
【００２１】
このように皮膚Ｐに対して弱い力であっても汚れの除去に多大なる効果があるということは、皮膚Ｐに大きな負担を掛けない、すなわち皮膚Ｐ自身を傷付けないという大きな利点があることを意味する。
【００２２】
次に、上記した構成による使用、動作の一例について説明すれば、図１、図２に示すように、生地材１を略指袋状に形成して成る洗顔用クロスに複数本の手指、例えば人差し指、中指、薬指の３本の手指を挿入して、表面の起毛面部２を顔等の皮膚Ｐ表面に当て、多少強めに擦りながら皮膚Ｐ面の汗腺や毛穴等の凹部分Ｒ１内に付着している脂肪分、老廃物等の汚れや、メイク落しをする際の化粧料等を綺麗に除去する。
【００２３】
このとき、図３に示すように、起毛面部２の約１〜３μｍと細い極細繊維から成る起毛の一本一本が自在な方向から繊維毎に皮膚Ｐの表面に線接触し、生地材１自体の厚さによって外からの力を拡散し、起毛糸に加わる力は非常に小さくなる。皮膚Ｐ表面の汚れに対し自在方向から弱い力で線接触すると、皮膚Ｐ表面の凹部分Ｒ１、凸部分Ｒ２それぞれに関係なく繊維が汚れに接触して研磨や剥離を行うのである。
【図面の簡単な説明】
【００２４】
【図１】本発明を実施するための最良の形態における使用状態の斜視図である。
【図２】同じく使用状態の断面図である。
【図３】同じく使用状態における皮膚面の拡大された断面図である。
【図４】同じく起毛形成の方法の一例を示した斜視図である。
【符号の説明】
【００２５】
Ｐ…皮膚                                Ｑ…角質層
Ｒ…皮脂膜                              Ｒ１…凹部分
Ｒ２…凸部分                            Ｓ…金属針
１…生地材                              ２…起毛面部
３…極細糸
【図１】
2005103249.tif 000003
【図２】
2005103249.tif 000004
【図３】
2005103249.tif 000005
【図４】
2005103249.tif 000006